(57)【要約】  加熱調理器(１００)は、複数の調理メニューから第１調理メニューをユーザーが選択するための第１調理メニュー選択部(１１０ｈ)と、第１調理メニュー選択部(１１０ｈ)によって第１調理メニューをユーザーが選択したとき、複数の調理メニューの残りの調理メニューから第１調理メニューと同時に調理可能な第２調理メニュー候補をユーザーに提案する第２調理メニュー提案部(１１０ｇ)とを備える。これにより、ユーザーが選んだ調理メニューと同時に調理可能な他の調理メニューを提案できる加熱調理器を提供する。
2018185949.tif 000002
【特許請求の範囲】
【請求項１】
複数の調理メニューから第１調理メニューをユーザーが選択するための第１調理メニュー選択部と、
上記第１調理メニュー選択部によって上記第１調理メニューを上記ユーザーが選択したとき、上記複数の調理メニューの残りの調理メニューから上記第１調理メニューと同時に調理可能な第２調理メニュー候補を上記ユーザーに提案する第２調理メニュー提案部と
を備えたことを特徴とする加熱調理器。
【請求項２】
請求項１に記載の加熱調理器において、
上記複数の調理メニューからユーザーの条件に応じた第１調理メニュー候補を提案する第１調理メニュー提案部を備え、
上記第１調理メニュー選択部によって、上記第１調理メニュー提案部により提案された上記第１調理メニュー候補から上記第１調理メニューが選択されることを特徴とする加熱調理器。
【請求項３】
請求項１または２に記載の加熱調理器において、
上記第２調理メニュー提案部は、上記第１調理メニュー選択部によって上記第１調理メニューとして主菜の調理メニューが選択されたとき、上記主菜の調理メニューと同時に調理可能な副菜の調理メニュー候補を上記第２調理メニュー候補として上記ユーザーに提案することを特徴とする加熱調理器。
【請求項４】
請求項１から３までのいずれか１つに記載の加熱調理器において、
上記第１調理メニュー選択部によって上記第１調理メニューが選択され、上記第１調理メニューと同時に調理可能な上記第２調理メニュー候補が上記複数の調理メニューの中にあるとき、上記第２調理メニュー候補があることを上記ユーザーに通知する通知部を備えたことを特徴とする加熱調理器。
【請求項５】
請求項１から４までのいずれか１つに記載の加熱調理器において、
上記複数の調理メニューから特定の食材を含む調理メニューまたは特定のジャンルの調理メニューの少なくとも一方を除外する調理メニュー除外部を備えたことを特徴とする加熱調理器。
【請求項６】
請求項５に記載の加熱調理器において、
上記調理メニュー除外部は、上記複数の調理メニューから上記特定の食材を含む調理メニューまたは上記特定のジャンルの調理メニューの少なくとも一方を一時的に除外する第１除外モードと、上記複数の調理メニューから上記特定の食材を含む調理メニューまたは上記特定のジャンルの調理メニューの少なくとも一方を永続的に除外する第２除外モードを切り換え可能であることを特徴とする加熱調理器。
【請求項７】
請求項１から６のいずれか１つに記載の加熱調理器において、
上記第１調理メニューに関する音声メッセージと上記第２調理メニュー候補から選択された第２調理メニューに関する音声メッセージまたは加熱調理の動作に関する音声メッセージの少なくとも１つに広告情報を含む音声メッセージを加えて出力する音声メッセージ出力部を備えたことを特徴とする加熱調理器。
【請求項８】
請求項１から７までのいずれか１つに記載の加熱調理器において、
上記第２調理メニュー提案部により提案された上記第２調理メニュー候補から第２調理メニューを上記ユーザーが選択するための第２調理メニュー選択部と、
上記第１調理メニュー選択部によって選択された上記第１調理メニューの情報と、上記第２調理メニュー選択部によって選択された上記第２調理メニューの情報とをサーバー装置から受信する通信部と
を備えたことを特徴とする加熱調理器。
【請求項９】
請求項８に記載の加熱調理器と、
上記加熱調理器と通信ネットワークを介して通信する上記サーバー装置と
を備えたことを特徴とする加熱調理システム。
【発明の詳細な説明】
【援用記載】
【０００１】
本出願は２０１７年４月５日に出願された日本出願の特願２０１７−０７５３５４に対して、優先権の利益を主張するものであり、その日本出願に記載された全ての記載内容を援用するものである。
【技術分野】
【０００２】
この発明は、加熱調理器および加熱調理システムに関する。
【背景技術】
【０００３】
従来、ユーザー自身で選択したメインメニューと一緒に食すことで栄養バランスの取れるサブメニューを適正に告知するメニュー提案システムがある(例えば、特開２０１６−１３９４１０号公報(特許文献１)参照)。上記メニュー提案システムでは、メインメニューで不足している栄養成分を含むサブメニューを提案する。
【先行技術文献】
【特許文献】
【０００４】
【特許文献１】特開２０１６−１３９４１０号公報
【発明の概要】
【発明が解決しようとする課題】
【０００５】
上記メニュー提案システムには、ユーザーの望む条件に合うメインメニューと、栄養成分を補完するサブメニューとを提案する機能はあったが、主菜の調理メニューとその主菜の調理メニューと同時に調理可能な副菜の調理メニューを提案するような加熱調理器は無かった。【０００６】
そこで、この発明の課題は、ユーザーが選んだ調理メニューと同時に調理可能な他の調理メニューを提案できる加熱調理器およびその加熱調理器を備えた加熱調理システムを提供することにある。
【課題を解決するための手段】
【０００７】
この発明の一態様に係る加熱調理器は、
複数の調理メニューから第１調理メニューをユーザーが選択するための第１調理メニュー選択部と、
上記第１調理メニュー選択部によって上記第１調理メニューを上記ユーザーが選択したとき、上記複数の調理メニューの残りの調理メニューから上記第１調理メニューと同時に調理可能な第２調理メニュー候補を上記ユーザーに提案する第２調理メニュー提案部と
を備えたことを特徴とする。【０００８】
また、この発明の加熱調理システムでは、
上記の加熱調理器と、
上記加熱調理器と通信ネットワークを介して通信する上記サーバー装置と
を備えたことを特徴とする。
【発明の効果】
【０００９】
以上より明らかなように、この発明によれば、ユーザーが選んだ調理メニューと同時に調理可能な他の調理メニューを提案できる加熱調理器およびその加熱調理器を備えた加熱調理システムを実現することができる。
【図面の簡単な説明】
【００１０】
【図１】図１はこの発明の第１実施形態の加熱調理システムの概略構成図である。
【図２】図２は上記加熱調理器の外観斜視図である。
【図３】図３は上記加熱調理器の制御ブロック図である。
【図４】図４は上記加熱調理システムの管理サーバーの制御ブロック図である。
【図５】図５は上記加熱調理器の操作パネルの要部を示す図である。
【図６】図６は上記加熱調理器の主菜の調理メニューを決定するまでカラー液晶表示部の表示画面を示す図である。
【図７】図７は上記主菜の調理メニューを決定後の副菜の調理メニューの提案について説明するための図である。
【図８】図８は上記主菜の調理メニューの保存や加熱調理について説明するための図である。
【図９】図９は保存された「チキンステーキ」の写真を示す図である。
【図１０】図１０は「おはなし」キーを押すときの操作パネルの要部を示す図である。
【図１１】図１１は特定の食材を一時的に除外するときの操作パネルの要部と相談内容を示す図である。
【図１２】図１２は特定の食材を永続的に除外するときの操作パネルの要部と相談内容を示す図である。
【図１３】図１３は永続的に除外された特定の食材を含むメニューを選択するときの操作パネルの要部と相談内容を示す図である。
【図１４】図１４はこの発明の第２実施形態の加熱調理システムの加熱調理器の制御ブロック図である。
【図１５】図１５は上記加熱調理システムの管理サーバーの制御ブロック図である。
【発明を実施するための形態】
【００１１】
以下、この発明の加熱調理器を図示の実施の形態により詳細に説明する。
【００１２】
〔第１実施形態〕
図１はこの発明の第１実施形態の加熱調理システムの概略構成図を示している。
【００１３】
この第１実施形態の加熱調理システムは、図１に示すように、加熱調理器１００と、加熱調理器１００とインターネット網Ｎを介して通信する管理サーバー２００とを備える。上記管理サーバー２００は、サーバー装置の一例であり、クラウドコンピューティングシステムを構成している。
【００１４】
上記加熱調理器１００は、無線アクセスポイント１３０およびインターネット網Ｎを介して管理サーバー２００などと通信を行うＷｉＦｉ通信モジュール１２０を備える。このインターネット網Ｎは、通信ネットワークの一例である。なお、ＷｉＦｉ通信モジュール１２０が直接インターネット網Ｎに接続されるようにしてもよい。
【００１５】
上記ＷｉＦｉ通信モジュール１２０は、屋内の無線アクセスポイント１３０との間で無線ＬＡＮ(ローカル・エリア・ネットワーク)による通信を行う。より詳しくは、ＷｉＦｉ通信モジュール１２０は、通信規格の一例としての無線ＬＡＮの規格であるＷｉＦｉ(登録商標)を用い、無線アクセスポイント１３０を介して屋外の管理サーバー２００に情報を送信したり受信したりする。なお、ＷｉＦｉの代わりにBluetooth(登録商標)などの他の通信規格を用いてもよい。
【００１６】
図２は上記加熱調理器１００の外観斜視図を示しており、この加熱調理器１００は、図２に示すように、直方体形状の本体ケーシング１と、この本体ケーシング１内に設けられ、前側に開口部２ａを有する加熱庫２と、加熱庫２の開口部２ａを開閉するドア３とを備えている。
【００１７】
上記本体ケーシング１の上側かつ後側に排気ダクト５を設けている。また、本体ケーシング１の前面の下部に露受容器６を着脱可能に取り付けている。
【００１８】
上記ドア３は、本体ケーシング１の前面側に下側の辺を軸に回動可能に取り付けられている。このドア３の前面(加熱庫２とは反対側の表面)には、耐熱性を有する透明な外ガラス７が設けられている。また、ドア３は、外ガラス７の上側に位置するハンドル８と、外ガラス７の右側に設けられた操作パネル９とを有している。
【００１９】
上記操作パネル９は、カラー液晶表示部１０と、「手動加熱」キー１１と、途中で加熱を止めるときなどに押す「とりけし」キー１２と、加熱を開始するときに押す「あたためスタート」キー１３と、「おはなし」キー１４と、「戻る」キー１５とを含んでいる。
【００２０】
また、図３は上記加熱調理器１００の制御ブロック図を示している。この加熱調理器１００は、図３に示すように、マイクロコンピュータと入出力回路などからなる制御装置１１０を備えている。制御装置１１０は、ＷｉＦｉ通信モジュール１２０,操作パネル９,ヒータ３０,マグネトロン４０,蒸気発生装置５０,ドアセンサ６０,マイク７０,スピーカ８０などが接続されている。また、制御装置１１０は、操作パネル９,湿度センサ(図示せず),庫内温度センサ(図示せず),ドアセンサ６０,マイク７０などからの信号に基づいて、ＷｉＦｉ通信モジュール１２０,操作パネル９のカラー液晶表示部１０,ヒータ３０,マグネトロン４０,蒸気発生装置５０,スピーカ８０などを制御する。
【００２１】
また、上記制御装置１１０は、ヒータ３０,マグネトロン４０を制御して加熱調理を行う加熱制御部１１０ａと、ＷｉＦｉ通信モジュール１２０を制御する通信制御部１１０ｂと、操作パネル９を制御する操作パネル制御部１１０ｃと、加熱調理器１００で実行可能な調理メニューの情報を管理する調理メニュー管理部１１０ｄと、調理メニューの情報を記憶する調理メニュー記憶部１１０ｅと、第１調理メニュー候補を提案する第１調理メニュー提案部１１０ｆと、第２調理メニュー候補を提案する第２調理メニュー提案部１１０ｇと、複数の調理メニュー(または第１調理メニュー提案部１１０ｆにより提案された第１調理メニュー候補)から第１調理メニューを選択する第１調理メニュー選択部１１０ｈと、第２調理メニュー提案部１１０ｇにより提案された第２調理メニュー候補から第２調理メニューを選択する第２調理メニュー選択部１１０ｉと、音声入力および音声出力を制御する音声制御部１１０ｊと、音声データを記憶する音声データ記憶部１１０ｋと、マイク７０に入力された音声を音声データに変換する音声データ変換部１１０ｍと、音声データに基づいて音声信号を合成する音声合成部１１０ｎとを有する。スピーカ８０は、音声合成部１１０ｎにより合成された音声信号を受けて、音声を出力する。
【００２２】
上記第１調理メニュー候補は、図４に示す管理サーバー２００の第１調理メニュー候補決定部２００ｆにより決定される。また、第２調理メニュー候補は、図４に示す管理サーバー２００の第２調理メニュー候補決定部２００ｇにより決定される。
【００２３】
ここで、第１調理メニューと第２調理メニューは、この加熱調理器１００で同時に調理可能な調理メニューであり、一方が主菜で他方が副菜であったり、両方が主菜であったり、両方が副菜であったり、一方が主食で他方が主菜であったりする。主菜とは、主食(日常の食事の中心となる飯、パン、麺類などの食物)以外で、食事の最も中心的な位置を占める料理であり、副菜とは、食事で主食や主菜を補い、生かすような料理であり、主菜の横に添える付け合わせも含む。
【００２４】
また、加熱調理器１００は、同時に調理可能な構成として、上段をオーブン加熱とし下段を蒸し加熱とする２段調理が可能な構成や、赤外線センサを用いて異なる食材または異なる料理を同時に加熱することが可能な構成を備えている。
【００２５】
上記第１調理メニューが主菜で第２調理メニューが副菜であるときの例を以下に示す。
【００２６】
主菜     副菜  
チキンステーキ      焼き野菜
焼き魚              焼きなます
タンドリーチキン    フライドポテト
ハンバーグ          添え野菜
上記スピーカ８０と音声制御部１１０ｊと音声データ記憶部１１０ｋと音声合成部１１０ｎで音声メッセージ出力部を構成している。また、通信制御部１１０ｂとＷｉＦｉ通信モジュール１２０で通信部を構成している。
【００２７】
なお、調理メニュー記憶部１１０ｅには、複数の調理メニューの情報が予め登録されていると共に、管理サーバー２００からダウンロードされる調理メニューの情報が所定数記憶可能となっている。また、音声データ記憶部１１０ｋには、予め設定された発話データである音声データが記憶されていると共に、管理サーバー２００からダウンロードされる音声データが記憶される。
【００２８】
また、図４は上記加熱調理システムの管理サーバー２００の制御ブロック図を示している。この管理サーバー２００は、図４に示すように、インターネット網Ｎ(図１に示す)を介した通信を行う通信部２００ａと、調理メニューの情報を管理する調理メニュー管理部２００ｂと、複数の調理メニューの情報を記憶する調理メニュー記憶部２００ｃと、音声データを管理する音声データ管理部２００ｄと、音声データを記憶する音声データ記憶部２００ｅと、第１調理メニュー候補を決定する第１調理メニュー候補決定部２００ｆと、第２調理メニュー候補を決定する第２調理メニュー候補決定部２００ｇとを備える。
【００２９】
なお、調理メニュー記憶部２００ｃには、加熱調理器１００側に予め登録されている複数の調理メニューの情報や、管理サーバー２００側で管理している複数の調理メニューの情報が記憶されている。また、音声データ記憶部２００ｅには、予め設定された音声データなどが記憶されている。
【００３０】
＜調理メニューの選択＞
上記加熱調理器１００では、第１調理メニュー提案部１１０ｆと第２調理メニュー提案部１１０ｇと第１調理メニュー選択部１１０ｈおよび第２調理メニュー選択部１１０ｉによって、カラー液晶表示部１０に表示されるメニュー画面に従って調理メニューを選択するか、または、音声入力による対話によって調理メニューを選択する。
【００３１】
＜対話による調理メニューの選択＞
次に、図５,図６(a)〜(e)に従って対話による調理メニューの選択について説明する。図５は操作パネル９の要部を示しており、図６(a)〜(e)は主菜の調理メニューを決定するまでのカラー液晶表示部１０の表示画面を示している。図５において、１１は「手動加熱」キー、１２は「とりけし」キー、１３は「あたためスタート」キー、１４は「おはなし」キー、１４ａは「おはなし」キー１４のランプである。このランプ１４ａは通知部の一例である。
【００３２】
カラー液晶表示部１０に図６(a)に示す初期画面を表示している状態で、まず、図５に示す操作パネル９の「おはなし」キー１４を押すと、対話を受け付けて、図６(b)に示す「聞いています」をカラー液晶表示部１０に表示して、音声を認識していることを示す。このとき、例えば、ユーザーにより『鶏肉を用いた料理」を音声入力すると、加熱調理器１００の音声制御部１１０ｊは、マイク７０に入力された音声『鶏肉を用いた料理』を音声データ変換部１１０ｍにより音声データに変換して、その音声データを通信制御部１１０ｂによりＷｉＦｉ通信モジュール１２０を介して管理サーバー２００に送信する。管理サーバー２００は、通信部２００ａにより受信した音声データ『鶏肉を用いた料理』に基づいて、第１調理メニュー候補決定部２００ｆにより第１調理メニュー候補を決定し、第１調理メニュー候補を加熱調理器１００に送信する。
【００３３】
次に、加熱調理器１００において、管理サーバー２００から受信した第１調理メニュー候補を第１調理メニュー提案部１１０ｆにより提案する。具体的には、図６(c)に示すように、カラー液晶表示部１０にリスト表示する。図６(c)では、「チキンステーキ」と「チキンステーキ＆焼き野菜」をカラー液晶表示部１０にリスト表示している。
【００３４】
ここで、第１調理メニュー選択部１１０ｈによって、図６(c)に示すリストからユーザーが第１調理メニューである「チキンステーキ」を選択すると、図６(d)に示す「ダウンロード中です」をカラー液晶表示部１０に表示して、主菜の調理メニューである「チキンステーキ」の情報(レシピや加熱条件など)を管理サーバー２００からダウンロードする。図６(d)において、下側に「相談してくれてありがとう」と「中止」キーＫ１が表示される。
【００３５】
そして、「チキンステーキ」の情報のダウンロードが終了すると、図６(e)に示すように、ダウンロードされた「チキンステーキ」の写真画像Ｇ１をカラー液晶表示部１０に表示する。図６(e)において、Ｋ２は「保存」キー、Ｋ３は「保存せず加熱に進む」キーである。
【００３６】
次に、図７(a)〜(e)に従って上記主菜の調理メニューの決定後の副菜の調理メニューの提案について説明する。ここで、図７(a)は図６(e)と同じ表示画面である。
【００３７】
まず、図７(a)の状態で、図５に示す操作パネル９の「おはなし」キー１４を押すと、対話を受け付けて、図７(b)に示す「副菜メニューがあります」、「見るか見ないか言ってね」および「話しかけてください」をカラー液晶表示部１０に表示して、音声を認識していることを示す。このとき、以下の音声メッセージを出力する。
『副菜メニューがあるよ。見てみる？見るか見ないか言ってね。』
【００３８】
ユーザーが『見る』と言うと、図７(c)に示す「チキンステーキ＆焼き野菜」を表示すると共に、『チキンステーキ＆焼き野菜はどうかな？』の音声メッセージを出力して、第２調理メニュー提案部１１０ｇにより第２調理メニュー候補として「焼き野菜」を提案する。
【００３９】
このとき、ユーザーにより『見る』を音声入力すると、加熱調理器１００の音声制御部１１０ｊは、マイク７０に入力された音声『見る』を音声データ変換部１１０ｍにより音声データに変換して、その音声データを通信制御部１１０ｂによりＷｉＦｉ通信モジュール１２０を介して管理サーバー２００に送信する。管理サーバー２００は、通信部２００ａにより受信した音声データ『見る』に基づいて、第２調理メニュー候補決定部２００ｇにより第２調理メニュー候補を決定し、第２調理メニュー候補を加熱調理器１００に送信する。
【００４０】
この実施の形態では、第２調理メニュー候補として「焼き野菜」を１つ提案したが、第２調理メニュー候補として複数の副菜の調理メニューを提案してもよい。
【００４１】
そして、第２調理メニュー選択部１１０ｉによって図７(c)に示すリストから「チキンステーキ＆焼き野菜」をユーザーが選択すると、図７(d)に示す「ダウンロード中です」をカラー液晶表示部１０に表示して、主菜の調理メニュー(第１調理メニュー)と副菜の調理メニュー(第２調理メニュー)とのセットメニューである「チキンステーキ＆焼き野菜」の情報(レシピや加熱条件など)を管理サーバー２００からダウンロードする。
【００４２】
なお、ダウンロード中に「中止」キーＫ１を押すと、図７(e)に示すリスト表示画面に移行する。
【００４３】
次に、「チキンステーキ＆焼き野菜」の情報のダウンロードが終了すると、図７(a)と同様に、ダウンロードされた「チキンステーキ＆焼き野菜」の写真画像(図示せず)をカラー液晶表示部１０に表示する。
【００４４】
次に、図８(a)〜(d)に従って主菜の調理メニューの保存や加熱調理について説明する。図８(a)は初期画面の表示である。
【００４５】
図８(b)に示すダウンロードされた「チキンステーキ」の写真画像Ｇ１をカラー液晶表示部１０に表示した状態で、「保存する」キーＫ２を操作すると、図８(e)に示す「保存中です」をカラー液晶表示部１０に表示して、ダウンロードされた「チキンステーキ」の情報(レシピや加熱条件など)を加熱調理器１００の調理メニュー記憶部１１０ｅに記憶する。
【００４６】
「チキンステーキ」の情報が保存されると、図８(d)に示すように、保存した「チキンステーキ」の写真画像Ｇ１をカラー液晶表示部１０に表示する。
【００４７】
図９は保存された「チキンステーキ」の写真を示しており、Ｋ４は「＜前へ」キー、Ｋ５は「決定」キー、Ｋ６は「次へ＞」キー、Ｋ７は「＜戻る」キー、Ｋ８は「保護」キー、Ｋ９は「削除」キーである。「保護」キーＫ８は、鍵が施錠されていない状態を示すときは保護されておらず、鍵が施錠されている状態を示すときは、表示された調理メニューが保護されており、新たに別の調理メニューが保存されても、上書きされることなく、加熱調理器１００内に調理メニューが保存された状態が保持される。
【００４８】
この実施形態では、最大で３０通りの調理メニューが保存可能であり、３０通りの調理メニューが保存された状態では、次に新しい調理メニューが保存されると、一番古い調理メニュー(保護された調理メニューを除く)が削除され、新しく保存されたものが追加される。
【００４９】
なお、図８(d)の表示画面において、「＜戻る」キーＫ７または「戻る」キー１５を操作すると、図８(a)に示す初期画面に戻る。
【００５０】
＜調理メニューの加熱スタート＞
一方、図８(b)に示すカラー液晶表示部１０の右下側に表示された「保存せず加熱に進む」キーＫ３を押すと、図８(c)に示すように、「チキンステーキ」の加熱スタート待ちの画面がカラー液晶表示部１０に表示される。図８(c)において、カラー液晶表示部１０の上側に「ウォーターグリル」が表示され、中央部分に「１〜２人分」キーＫ１１と「３〜４人分」キーＫ１２が表示されている。さらに、カラー液晶表示部１０の下側に「上段」、「アミは２枚でもよい」、「水タンクをセット[水位１以上]」、「スタートを押します」を表示すると共に、加熱庫２内の上段に、調理網が載置されたトレイをセットすることが図示されている。ここで、「ウォーターグリル」とは、過熱水蒸気を用いて網焼き調理する加熱モードのことである。
【００５１】
図１０は「おはなし」キーを押すときの操作パネルの要部を示している。図１０に示すように、「おはなし」キー１４のランプ１４ａが点滅することにより、副菜の調理メニューがあることをユーザーに通知する。このとき、ユーザーが「おはなし」キー１４を押すと、図７(b),図７(c)に示すようにして、副菜の調理メニューが提案される。
【００５２】
上記構成の加熱調理器１００によれば、第１調理メニュー選択部１１０ｈによって複数の調理メニューから第１調理メニューをユーザーが選択したとき、第２調理メニュー提案部１１０ｇは、複数の調理メニューの残りの調理メニューの中から第１調理メニューと同時に調理可能な１または２以上の第２調理メニュー候補をユーザーに提案する。例えば、第１調理メニュー選択部１１０ｈによって主菜の調理メニュー(第１調理メニュー)が選ばれたとき、その主菜の調理メニューと同時に調理可能な副菜の調理メニュー候補(第２調理メニュー候補)を第２調理メニュー提案部１１０ｇにより提案する。このように、ユーザーが選んだ調理メニューと同時に調理可能な他の調理メニューを提案することができる。また、１台の加熱調理器１００で同時に複数の調理メニューを調理できるので、食事の支度の時間を短縮することができる。
【００５３】
また、複数の調理メニューからユーザーの条件に応じて第１調理メニュー提案部１１０ｆにより提案された１または２以上の第１調理メニュー候補から、第１調理メニュー選択部１１０ｈによって第１調理メニューをユーザーが容易に選ぶことができ、利便性が向上する。
【００５４】
また、上記第１調理メニュー提案部１１０ｆは、第１調理メニュー候補として主菜の調理メニュー候補をユーザーに提案し、第１調理メニュー選択部１１０ｈによって第１調理メニューとして主菜の調理メニューをユーザーが選択したとき、第２調理メニュー提案部１１０ｇは、主菜の調理メニューと同時に調理可能な副菜の調理メニュー候補を第２調理メニュー候補としてユーザーに提案する。このとき、主菜の調理メニューに適した副菜の調理メニュー候補を提案することにより、味や栄養のバランスを考慮して主菜や副菜を個別に考えるユーザーの負担を軽減できると共に、バラエティ豊かな献立をユーザーに提供することができる。
【００５５】
また、上記第１調理メニュー選択部１１０ｈによって選択された第１調理メニューと同時に調理可能な第２調理メニュー候補が複数の調理メニューの残りの調理メニューの中にあるとき、第２調理メニュー候補があることを操作パネル９のランプ１４ａ(通知部)によりユーザーに通知する。これにより、第２調理メニュー候補があることを知ったユーザーは、第２調理メニュー候補の提案を受ける前にその提案された第２調理メニュー候補を利用するか否かを判断でき、一方的に第２調理メニュー候補が提案される煩わしさがない。
【００５６】
また、上記加熱調理器１００は、通信部(１１０ｂ,１２０)により受信された管理サーバー２００(サーバー装置)からの第１調理メニューの情報と第２調理メニューの情報に基づいて加熱調理を行う。これにより、必要なときに調理メニューの情報を管理サーバー２００から受信するので、加熱調理器１００自体に複数の調理メニューを保存するための大容量の記憶部を備える必要がなくなり、加熱調理器１００のコストを低減することができる。
【００５７】
また、上記構成の加熱調理システムによれば、ユーザーが選んだ調理メニューと同時に調理可能な他の調理メニューを提案できる加熱調理器１００を備えた加熱調理システムを実現することができる。
【００５８】
〔第２実施形態〕
この発明の第２実施形態の加熱調理システムの加熱調理器１００は、制御装置１１０の動作を除いて第１実施形態の加熱調理器１００と同一の構成をしており、図３を援用する。また、この第２実施形態の加熱調理システムの管理サーバー２００は、第１調理メニュー候補決定部２００ｆと第２調理メニュー候補決定部２００ｇの動作を除いて第１実施形態の管理サーバー２００と同一の構成をしており、図４を援用する。
【００５９】
この第２実施形態の加熱調理器１００の制御装置１１０の調理メニュー管理部１１０ｄは、複数の調理メニューから特定の食材を含む調理メニューを除外する調理メニュー除外部を兼ねている。なお、特定の食材は、１つの食材だけに限らず、複数の食材でもよく、複数の食材のうちの少なくとも１つを含む調理メニューを除外してもよい。
【００６０】
また、加熱調理器１００の制御装置１１０の第１調理メニュー選択部１１０ｈは、調理メニュー管理部１１０ｄ(調理メニュー除外部)により特定の食材を含む調理メニューが除外された複数の調理メニューの残りの調理メニューから第１調理メニューを選択可能としている。
【００６１】
また、加熱調理器１００の制御装置１１０の第１調理メニュー提案部１１０ｆは、複数の調理メニューから、調理メニュー管理部１１０ｄ(調理メニュー除外部)により特定の食材を含む調理メニューが除外された第１調理メニュー候補をユーザーの条件に応じて提案する。このとき、管理サーバー２００の第１調理メニュー候補決定部２００ｆは、特定の食材を含む調理メニューが除外された第１調理メニュー候補を決定して加熱調理器１００に送信する。
【００６２】
ここで、ユーザーの条件は、ユーザーが所望する食材を含む料理、ヘルシー料理、季節料理などであり、操作パネル９の操作や音声対話によって設定される。
【００６３】
また、第２調理メニュー提案部１１０ｇは、第１調理メニュー選択部１１０ｈによって第１調理メニューが選択され、第１調理メニューと同時に調理可能な第２調理メニュー候補であって、かつ、調理メニュー管理部１１０ｄ(調理メニュー除外部)により特定の食材を含む調理メニューが除外された第２調理メニュー候補があるとき、その第２調理メニュー候補をユーザーに提案する。このとき、管理サーバー２００の第２調理メニュー候補決定部２００ｇは、第１調理メニューと同時に調理可能な第２調理メニュー候補であって、かつ、特定の食材を含む調理メニューが除外された第２調理メニュー候補を決定して加熱調理器１００に送信する。
【００６４】
＜特定の食材の一時的な除外＞
図１１(a)〜(c)に特定の食材を一時的に除外するときの操作パネル９の要部と相談内容を示している。この図１１(a)〜(c)では、調理メニュー管理部１１０ｄ(調理メニュー除外部)の第１除外モードについて説明する。
【００６５】
まず、図１１(a)に示す操作パネル９の「おはなし」キー１４を押すと、対話を受け付けて、図１１(b)に示すように、「おはなし中」、「どんな相談かな？」、「食材？」、「料理名？」、「調理時間？」をカラー液晶表示部１０に表示する。
【００６６】
このとき、例えば、『なすび嫌い』を音声入力すると、加熱調理器１００の音声制御部１１０ｊは、マイク７０に入力された音声『なすび嫌い』を音声データ変換部１１０ｍにより音声データに変換して、その音声データを通信制御部１１０ｂにより管理サーバー２００に送信する。管理サーバー２００は、通信部２００ａにより受信した音声データが『なすび嫌い』であると認識すると、「なすび」を使わない第１調理メニュー候補を、第１調理メニュー候補決定部２００ｆにより決定して加熱調理器１００に送信する。
【００６７】
ここで、調理メニュー管理部１１０ｄ(調理メニュー除外部)は、音声制御部１１０ｊ,音声データ変換部１１０ｍ,通信制御部１１０ｂなどを制御して、管理サーバー２００の第１調理メニュー候補決定部２００ｆにおいて、第１調理メニュー候補から「なすび」を含む調理メニューを一時的に除外する。
【００６８】
次に、加熱調理器１００で管理サーバー２００から第１調理メニュー候補を受信すると、図１１(c)に示す第１調理メニュー候補のリストをカラー液晶表示部１０に表示して、『なすびを使わないメニューから探したよ。(メニュー名)はどうかな？』を音声出力する。
【００６９】
その後、通常の相談シナリオに進む。
【００７０】
＜特定の食材の永続的な除外＞
図１２(a)〜(c)に特定の食材を永続的に除外するときの操作パネル９の要部と相談内容を示している。この図１２(a)〜(c)では、調理メニュー管理部１１０ｄ(調理メニュー除外部)の第２除外モードについて説明する。
【００７１】
まず、図１２(a)に示す操作パネル９の「おはなし」キー１４を押すと、対話を受け付けて、図１２(b)に示すように、「おはなし中」、「どんな相談かな？」、「食材？」、「料理名？」、「調理時間？」をカラー液晶表示部１０に表示する。
【００７２】
このとき、例えば、『なすびをずっと除きたい』を音声入力すると、加熱調理器１００の音声制御部１１０ｊは、マイク７０に入力された音声『なすびをずっと除きたい』を音声データ変換部１１０ｍにより音声データに変換して、その音声データを通信制御部１１０ｂにより管理サーバー２００に送信する。管理サーバー２００は、通信部２００ａにより受信した音声データが『なすびをずっと除きたい』と認識すると、「なすび」を使わない第１調理メニュー候補を、第１調理メニュー候補決定部２００ｆにより決定して加熱調理器１００に送信する。
【００７３】
ここで、調理メニュー管理部１１０ｄ(調理メニュー除外部)は、音声制御部１１０ｊ,音声データ変換部１１０ｍ,通信制御部１１０ｂなどを制御して、管理サーバー２００の第１調理メニュー候補決定部２００ｆにおいて、第１調理メニュー候補から「なすび」を含む調理メニューを永続的に除外する。
【００７４】
次に、加熱調理器１００で管理サーバー２００から第１調理メニュー候補を受信すると、図１２(c)に示す第１調理メニュー候補のリストをカラー液晶表示部１０に表示して、『これからお勧めする時も、なすびを使わないメニューを探すね。』、『なすびを使いたくなったときは、「なすびを使うようにする」って言ってね。』、『(メニュー名)はどうかな？』を音声出力する。
【００７５】
その後、通常の相談シナリオに進む。
【００７６】
図１３(a)〜(d)は永続的に除外された特定の食材を含むメニューを選択するときの操作パネル９の要部と相談内容を示している。
【００７７】
まず、図１３(a)に示す操作パネル９の「おはなし」キー１４を押すと、対話を受け付けて、図１３(b)に示すように、「聞いています」とマイクの画像をカラー液晶表示部１０に表示して、音声を認識していることを示す。このとき、例えば、「なすびを使ったメニューを教えて」を音声入力すると、加熱調理器１００の音声制御部１１０ｊは、マイク７０に入力された音声「なすびを使ったメニューを教えて」を音声データ変換部１１０ｍにより音声データに変換して、その音声データを通信制御部１１０ｂにより管理サーバー２００に送信する。管理サーバー２００は、通信部２００ａにより受信した音声データが「なすびを使ったメニューを教えて」であると認識すると、『なすびは使わない食材として覚えているよ。使いたい時は、「なすびを使うようにする」って言ってね。』の音声データを加熱調理器１００に送信する。
【００７８】
次に、加熱調理器１００で管理サーバー２００から上記音声データを受信すると、図１３(c)に示す「おはなし中」をカラー液晶表示部１０に表示して、『なすびは使わない食材として覚えているよ。使いたい時は、「なすびを使うようにする」って言ってね。』を音声出力する。
【００７９】
そうして、再び図１３(d)に示すように、「聞いています」とマイクの画像をカラー液晶表示部１０に表示して、音声を認識していることを示した後、通常の相談シナリオに進む。
【００８０】
上記構成の加熱調理器１００によれば、調理メニュー管理部１１０ｄ(調理メニュー除外部)により特定の食材を含む調理メニューが除外された複数の調理メニューの残りの調理メニューから第１調理メニュー選択部１１０ｈにより第１調理メニューを選択可能とする。
【００８１】
また、複数の調理メニューからユーザーの条件に応じて１または２以上の第１調理メニュー候補であって、かつ、調理メニュー管理部１１０ｄ(調理メニュー除外部)より特定の食材を含む調理メニューが除外された第１調理メニュー候補があるとき、第１調理メニュー提案部１１０ｆにより第１調理メニュー候補をユーザーに提案する。
【００８２】
また、第１調理メニュー選択部１１０ｈによって第１調理メニューが選択され、その第１調理メニューと同時に調理可能な第２調理メニュー候補であって、かつ、調理メニュー管理部１１０ｄ(調理メニュー除外部)により特定の食材を含む調理メニューが除外された第２調理メニュー候補があるとき、第２調理メニュー提案部１１０ｇによって第２調理メニュー候補をユーザーに提案する。
【００８３】
これにより、ユーザーの嗜好に合った調理メニューの提案が可能になる。
【００８４】
なお、この第２実施形態では、調理メニュー管理部１１０ｄ(調理メニュー除外部)により特定の食材を含む調理メニューを除外したが、特定のジャンル(イタリア料理、中華料理、魚料理、鶏肉料理など)の調理メニューを除外してもよく、特定の食材を含む調理メニューと特定のジャンルの調理メニューの両方を除外してもよい。
【００８５】
また、上記調理メニュー管理部１１０ｄ(調理メニュー除外部)は、第１除外モードにおいて、複数の調理メニューから特定の食材を含む調理メニューを一時的に除外する一方、第２除外モードにおいて、複数の調理メニューから特定の食材を含む調理メニューを永続的に除外するので、状況に応じて調理メニュー管理部１１０ｄ(調理メニュー除外部)により第１,第２除外モードを切り換えて、特定の食材を含む調理メニューを除外でき、利便性が向上する。
【００８６】
上記第２実施形態では、特定の食材を含む調理メニューを除外する加熱調理器１００について説明したが、ユーザーが苦手な食材を含む調理メニューを提案する加熱調理器としてもよい。これにより、苦手な食材を含むメニューを克服するトレーニングが可能になる。
【００８７】
〔第３実施形態〕
図１４はこの発明の第３実施形態の加熱調理システムの加熱調理器１１００の制御ブロック図を示している。この第３実施形態の加熱調理器１１００は、制御装置１１１０を除いて第１実施形態の加熱調理システムの加熱調理器１００と同一の構成をしている。
【００８８】
この第３実施形態の加熱調理器１１００は、図１４に示すように、マイクロコンピュータと入出力回路などからなる制御装置１１１０を備えている。制御装置１１０は、ＷｉＦｉ通信モジュール１２０,操作パネル９,ヒータ３０,マグネトロン４０,蒸気発生装置５０,ドアセンサ６０,マイク７０,スピーカ８０などが接続されている。また、制御装置１１１０は、操作パネル９,湿度センサ(図示せず),庫内温度センサ(図示せず),ドアセンサ６０,マイク７０などからの信号に基づいて、ＷｉＦｉ通信モジュール１２０,操作パネル９のカラー液晶表示部１０,ヒータ３０,マグネトロン４０,蒸気発生装置５０,スピーカ８０などを制御する。
【００８９】
また、上記制御装置１１１０は、ヒータ３０,マグネトロン４０を制御して加熱調理を行う加熱制御部１１０ａと、ＷｉＦｉ通信モジュール１２０を制御する通信制御部１１０ｂと、カラー液晶表示部１０を制御する操作パネル制御部１１０ｃと、加熱調理器１００で実行可能な調理メニューの情報を管理する調理メニュー管理部１１０ｄと、調理メニューの情報を記憶する調理メニュー記憶部１１０ｅと、第１調理メニュー候補を提案する第１調理メニュー提案部１１０ｆと、第２調理メニュー候補を提案する第２調理メニュー提案部１１０ｇと、音声入力および音声出力を制御する音声制御部１１０ｊと、音声データを記憶する音声データ記憶部１１０ｋと、マイク７０に入力された音声を音声データに変換する音声データ変換部１１０ｍと、音声データに基づいて音声信号を合成する音声合成部１１０ｎと、管理サーバー２００から広告情報を取得する広告情報取得部１１１を有する。
【００９０】
この制御装置１１１０は、広告情報取得部１１１を有する点で第１実施形態の加熱調理器１００の制御装置１１０と相違する。
【００９１】
また、図１５は上記加熱調理システムの管理サーバー１２００の制御ブロック図を示している。この第３実施形態の管理サーバー１２００は、広告情報提供部２００ｈを除いて第１実施形態の管理サーバー２００と同一の構成をしている。
【００９２】
この管理サーバー１２００は、図１５に示すように、インターネット網Ｎ(図１に示す)を介した通信を行う通信部２００ａと、調理メニューの情報を管理する調理メニュー管理部２００ｂと、調理メニューの情報を記憶する調理メニュー記憶部２００ｃと、音声データを管理する音声データ管理部２００ｄと、音声データを記憶する音声データ記憶部２００ｅと、第１調理メニュー候補を決定する第１調理メニュー候補決定部２００ｆと、第２調理メニュー候補を決定する第２調理メニュー候補決定部２００ｇと、加熱調理器１１００側に広告情報を提供する広告情報提供部２００ｈとを備える。
【００９３】
上記音声データ記憶部２００ｅには、予め設定された音声データや広告情報に係わる音声データなどが記憶されている。
【００９４】
上記管理サーバー１２００の広告情報提供部２００ｈは、音声データ記憶部２００ｅに記憶された広告情報に係わる音声データを、通信部２００ａを介して加熱調理器１１００側に送信する。その管理サーバー１２００からの広告情報に係わる音声データを加熱調理器１１００の通信部(１１０ｂ,１２０)により受信して、音声データ記憶部１１０ｋに記憶する。
【００９５】
そして、加熱調理の終了時点から予め設定された時間(この実施形態では３０秒)前までの期間において、音声制御部１１０ｊと音声合成部１１０ｎによって、加熱調理の終了に関する音声メッセージとして、音声データ記憶部１１０ｋに記憶された広告情報に係わる音声データをスピーカ８０から出力する。このとき、音声制御部１１０ｊと音声合成部１１０ｎは、加熱調理の終了に関する音声メッセージに広告情報を含む音声メッセージを加えてスピーカ８０から出力する。これにより、加熱調理の終了を待っているユーザーは、調理終了間近の加熱調理器１００に注目している可能性が高いので、加熱調理の終了に関する音声メッセージに広告情報を含む音声メッセージを加えることにより、注目しているユーザーに広告を効果的に伝えることができる。
【００９６】
例えば、加熱調理の終了に関する音声メッセージとして、
『残り１５秒をお知らせします』
とある場合、この音声メッセージに広告情報を含む音声メッセージを加えて、加熱調理の終了の３０秒前に、
『○○○○が残り１５秒をお知らせします。○○○○(音楽)、○○○○(音楽)』
を出力し、終了の１５秒前に音声出力が終わるようにする。ここで、「○○○○」は、広告を提供する会社名や団体名などであり、「(音楽)」は音声メッセージに加えて音楽が流れることを示す。
【００９７】
また、例えば、加熱調理の開始に関する音声メッセージとして、
『△△△△の加熱を開始します』
とある場合、この音声メッセージに広告情報を含む音声メッセージを加えて、加熱調理の開始後の３０秒以内に、
『△△△△の加熱を開始します。このメニューは○○○○が提供したレシピです(音楽)』
とか、
『○○○○が△△△△の加熱の開始をお知らせします(音楽)』
などを出力する。ここで、「△△△△」は調理メニュー名であり、「○○○○」は、広告を提供する会社名や団体名などであり、「(音楽)」は音声メッセージに加えて音楽が流れることを示す。
【００９８】
なお、第１調理メニューや第２調理メニューに関する音声メッセージを出力するとき、その音声メッセージに広告情報を含む音声メッセージを加えて出力するようにしてもよい。例えば、第１調理メニューの情報を管理サーバー２００からダウンロードしたときに、
『△△△△をダウンロードしました。このメニューは○○○○が提供するレシピです(音楽)』
とか、複数の調理メニューの中から、ある調理メニューの情報を提案するときに、
『○○○○が△△△△を提案します(音楽)』
などを出力する。ここで、「△△△△」は調理メニュー名であり、「○○○○」は、広告を提供する会社名や団体名などであり、「(音楽)」は音声メッセージに加えて音楽が流れることを示す。
【００９９】
上記第１〜第３実施形態では、管理サーバー２００と通信を行う機能を有する加熱調理器１００,１１００について説明したが、通信機能を有しない加熱調理器にこの発明を適用してもよい。この場合、加熱調理器は、少なくとも管理サーバー２００の第１調理メニュー候補決定部２００ｆや第２調理メニュー候補決定部２００ｇの機能を備える。
【０１００】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【０１０１】
この発明および実施形態をまとめると、次のようになる。
【０１０２】
この発明の一態様に係る加熱調理器１００,１１００は、
複数の調理メニューから第１調理メニューをユーザーが選択するための第１調理メニュー選択部１１０ｈと、
上記第１調理メニュー選択部１１０ｈによって上記第１調理メニューを上記ユーザーが選択したとき、上記複数の調理メニューの残りの調理メニューから上記第１調理メニューと同時に調理可能な第２調理メニュー候補を上記ユーザーに提案する第２調理メニュー提案部１１０ｇと
を備えたことを特徴とする。
【０１０３】
上記構成によれば、第１調理メニュー選択部１１０ｈによって複数の調理メニューから第１調理メニューをユーザーが選択したとき、第２調理メニュー提案部１１０ｇは、複数の調理メニューの残りの調理メニューの中から第１調理メニューと同時に調理可能な１または２以上の第２調理メニュー候補をユーザーに提案する。例えば、第１調理メニュー選択部１１０ｈによって主菜の調理メニュー(第１調理メニュー)が選ばれたとき、その主菜の調理メニューと同時に調理可能な副菜の調理メニュー候補(第２調理メニュー候補)を第２調理メニュー提案部１１０ｇにより提案する。このように、ユーザーが選んだ調理メニューと同時に調理可能な他の調理メニューを提案できる。また、１台の加熱調理器１００,１１００で同時に複数の調理メニューを調理できるので、食事の支度の時間を短縮できる。
【０１０４】
また、一実施形態の加熱調理器１００,１１００では、
上記複数の調理メニューからユーザーの条件に応じた第１調理メニュー候補を提案する第１調理メニュー提案部１１０ｆを備え、
上記第１調理メニュー選択部１１０ｈによって、上記第１調理メニュー提案部１１０ｆにより提案された上記第１調理メニュー候補から上記第１調理メニューが選択される。
【０１０５】
上記実施形態によれば、複数の調理メニューからユーザーの条件に応じて第１調理メニュー提案部１１０ｆにより提案された１または２以上の第１調理メニュー候補から、第１調理メニュー選択部１１０ｈによって第１調理メニューをユーザーが容易に選ぶことができ、毎日の献立に迷うユーザーを助けることで利便性が向上する。
【０１０６】
また、一実施形態の加熱調理器１００,１１００では、
上記第２調理メニュー提案部１１０ｇは、上記第１調理メニュー選択部１１０ｈによって上記第１調理メニューとして主菜の調理メニューが選択されたとき、上記主菜の調理メニューと同時に調理可能な副菜の調理メニュー候補を上記第２調理メニュー候補として上記ユーザーに提案する。
【０１０７】
上記実施形態によれば、第１調理メニュー提案部１１０ｆは、第１調理メニュー候補として主菜の調理メニュー候補をユーザーに提案し、第１調理メニュー選択部１１０ｈによって第１調理メニューとして主菜の調理メニューが選択されたとき、第２調理メニュー提案部１１０ｇは、主菜の調理メニューと同時に調理可能な副菜の調理メニュー候補を第２調理メニュー候補としてユーザーに提案する。このとき、主菜の調理メニューに適した副菜の調理メニュー候補を提案することにより、味や栄養のバランスを考慮して主菜や副菜を個別に考えるユーザーの負担を軽減できると共に、バラエティ豊かな献立をユーザーに提供することができる。
【０１０８】
また、一実施形態の加熱調理器１００,１１００では、
上記第１調理メニュー選択部１１０ｈによって上記第１調理メニューが選択され、上記第１調理メニューと同時に調理可能な上記第２調理メニュー候補が上記複数の調理メニューの中にあるとき、上記第２調理メニュー候補があることを上記ユーザーに通知する通知部１４ａを備えた。
【０１０９】
上記実施形態によれば、第１調理メニュー選択部１１０ｈによって選択された第１調理メニューと同時に調理可能な第２調理メニュー候補が複数の調理メニューの残りの調理メニューの中にあるとき、第２調理メニュー候補があることを通知部１４ａによりユーザーに通知する。これにより、第２調理メニュー候補があることを知ったユーザーは、第２調理メニュー候補の提案を受ける前にその提案された第２調理メニュー候補を利用するか否かを判断でき、一方的に第２調理メニュー候補が提案される煩わしさがない。
【０１１０】
また、一実施形態の加熱調理器１００,１１００では、
上記複数の調理メニューから特定の食材を含む調理メニューまたは特定のジャンルの調理メニューの少なくとも一方を除外する調理メニュー除外部１１０ｄを備えた。
【０１１１】
上記実施形態によれば、調理メニュー除外部１１０ｄにより特定の食材を含む調理メニューまたは特定のジャンルの調理メニューの少なくとも一方が除外された複数の調理メニューの残りの調理メニューから第１調理メニュー選択部１１０ｈにより第１調理メニューを選択可能する。
【０１１２】
また、複数の調理メニューからユーザーの条件に応じて１または２以上の第１調理メニュー候補であって、かつ、調理メニュー除外部１１０ｄにより特定の食材を含む調理メニューまたは特定のジャンルの調理メニューの少なくとも一方が除外された第１調理メニュー候補があるとき、第１調理メニュー提案部１１０ｆにより第１調理メニュー候補をユーザーに提案する。
【０１１３】
また、第１調理メニュー選択部１１０ｈによって第１調理メニューが選択され、第１調理メニューと同時に調理可能な第２調理メニュー候補であって、かつ、調理メニュー除外部１１０ｄにより特定の食材を含む調理メニューまたは特定のジャンルの調理メニューの少なくとも一方が除外された第２調理メニュー候補があるとき、第２調理メニュー提案部１１０ｇによって第２調理メニュー候補をユーザーに提案する。
【０１１４】
これにより、ユーザーの嗜好に合った調理メニューの提案が可能になる。
【０１１５】
また、一実施形態の加熱調理器１００,１１００では、
上記調理メニュー除外部１１０ｄは、上記複数の調理メニューから上記特定の食材を含む調理メニューまたは上記特定のジャンルの調理メニューの少なくとも一方を一時的に除外する第１除外モードと、上記複数の調理メニューから上記特定の食材を含む調理メニューまたは上記特定のジャンルの調理メニューの少なくとも一方を永続的に除外する第２除外モードを切り換え可能である。
【０１１６】
上記実施形態によれば、調理メニュー除外部１１０ｄは、第１除外モードにおいて、複数の調理メニューから特定の食材を含む調理メニューまたは特定のジャンルの調理メニューの少なくとも一方を一時的に除外する一方、第２除外モードにおいて、複数の調理メニューから特定の食材を含む調理メニューまたは特定のジャンルの調理メニューの少なくとも一方を永続的に除外するので、状況に応じて調理メニュー除外部１１０ｄにより第１,第２除外モードを切り換えて、特定の食材を含む調理メニューや特定のジャンルの調理メニューを除外でき、利便性が向上する。
【０１１７】
また、一実施形態の加熱調理器１１００では、
上記第１調理メニューに関する音声メッセージと上記第２調理メニュー候補から選択された第２調理メニューに関する音声メッセージまたは加熱調理の動作に関する音声メッセージの少なくとも１つに広告情報を含む音声メッセージを加えて出力する音声メッセージ出力部(８０,１１０ｊ,１１０ｎ)を備えた。
【０１１８】
上記実施形態によれば、音声メッセージ出力部(８０,１１０ｊ,１１０ｎ)によって、上記第１調理メニューに関する音声メッセージと第２調理メッセージに関する音声メッセージまたは加熱調理の動作に関する音声メッセージの少なくとも１つを出力する。このとき、音声メッセージ出力部(８０,１１０ｊ,１１０ｎ)は、加熱調理の動作に関する音声メッセージ(または第１,第２調理メッセージに関する音声メッセージ)に広告情報を含む音声メッセージを加えて出力する。これにより、例えば、加熱調理の動作の終了を待っているユーザーが調理終了間近の加熱調理器１００,１１００に注目している可能性が高いので、加熱調理の動作に関する音声メッセージに広告情報を含む音声メッセージを加えることにより、注目しているユーザーに広告を効果的に伝えることができる。
【０１１９】
また、一実施形態の加熱調理器１００,１１００では、
上記第２調理メニュー提案部１１０ｇにより提案された上記第２調理メニュー候補から第２調理メニューを上記ユーザーが選択するための第２調理メニュー選択部１１０ｉと、
上記第１調理メニュー選択部１１０ｈによって選択された上記第１調理メニューの情報と、上記第２調理メニュー選択部１１０ｉによって選択された上記第２調理メニューの情報とをサーバー装置２００から受信する通信部(１１０ｂ,１２０)と
を備えた。
【０１２０】
上記実施形態によれば、通信部(１１０ｂ,１２０)により受信されたサーバー装置２００からの第１調理メニューの情報と第２調理メニューの情報に基づいて加熱調理を行う。これにより、必要なときに調理メニューの情報をサーバー装置から受信するので、加熱調理器１００,１１００自体に複数の調理メニューを保存するための大容量の記憶部を備える必要がなくなり、加熱調理器１００,１１００のコストを低減できる。
【０１２１】
また、この発明の加熱調理システムでは、
上記の加熱調理器１００,１１００と、
上記加熱調理器１００,１１００と通信ネットワークを介して通信する上記サーバー装置２００と
を備えたことを特徴とする。
【０１２２】
上記構成によれば、ユーザーが選んだ調理メニューと同時に調理可能な他の調理メニューを提案できる加熱調理器１００,１１００を備えた加熱調理システムを実現できる。
【符号の説明】
【０１２３】
１…本体ケーシング
２…加熱庫
３…ドア
５…排気ダクト
６…露受容器
７…外ガラス
８…ハンドル
９…操作パネル
１０…カラー液晶表示部
１１…「手動加熱」キー
１２…「とりけし」キー
１３…「あたためスタート」キー
１４…「おはなし」キー
１４ａ…ランプ(通知部)
１５…「戻る」キー
３０…ヒータ
４０…マグネトロン
５０…蒸気発生装置
６０…ドアセンサ
７０…マイク
８０…スピーカ
１００,１１００…加熱調理器
１１０,１１１０…制御装置
１１０ａ…加熱制御部
１１０ｂ…通信制御部
１１０ｃ…操作パネル制御部
１１０ｄ…調理メニュー管理部(調理メニュー除外部)
１１０ｅ…調理メニュー記憶部
１１０ｆ…第１調理メニュー提案部
１１０ｇ…第２調理メニュー提案部
１１０ｈ…第１調理メニュー選択部
１１０ｉ…第２調理メニュー選択部
１１０ｊ…音声制御部
１１０ｋ…音声データ記憶部
１１０ｍ…音声データ変換部
１１０ｎ…音声合成部
１１１…広告情報取得部
１２０…ＷｉＦｉ通信モジュール
１３０…無線アクセスポイント
２００,１２００…管理サーバー
２００ａ…通信部
２００ｂ…調理メニュー管理部
２００ｃ…調理メニュー記憶部
２００ｄ…音声データ管理部
２００ｅ…音声データ記憶部
２００ｆ…第１調理メニュー候補決定部
２００ｇ…第２調理メニュー候補決定部
２００ｈ…広告情報提供部
Ｎ…インターネット網
【図１】
2018185949.tif 000003
【図２】
2018185949.tif 000004
【図３】
2018185949.tif 000005
【図４】
2018185949.tif 000006
【図５】
2018185949.tif 000007
【図６】
2018185949.tif 000008
【図７】
2018185949.tif 000009
【図８】
2018185949.tif 000010
【図９】
2018185949.tif 000011
【図１０】
2018185949.tif 000012
【図１１】
2018185949.tif 000013
【図１２】
2018185949.tif 000014
【図１３】
2018185949.tif 000015
【図１４】
2018185949.tif 000016
【図１５】
2018185949.tif 000017
【国際調査報告】
2018185949.tif 000018
2018185949.tif 000019
2018185949.tif 000020